(57)【要約】      （修正有）【課題】木造建物において、横架材の構造材に対する掛止状態を確実に維持することのできる、横架材の接合装置を提供する。【解決手段】柱３の、横架材１との接合面３ａに、該柱３を貫通させたボルト杆１３の先端と該先端に螺合締付けたナット材４Ａとで構成した受支突子４を突設する。また、前記横架材１には、受支突子４を下端側から係合する係合溝７を端面に縦設し、また、前記受支突子４に掛止する掛止杆５を前記係合溝５と交差させて横設する。【選択図】図１
2004293087.tif 000002
【特許請求の範囲】
【請求項１】
柱や胴差などの構造材の、梁や桁などの横架材との接合面に、該構造材を貫通させた螺杆の先端と該先端に螺合締付けたナット材とで構成した受支突子を突設する一方、前記横架材には、該受支突子を下端側から係合する係合溝を端面に縦設すると共に、前記受支突子に掛止する掛止杆を前記係合溝と交差させて横設した、木造建物における横架材の接合装置。
【請求項２】
受支突子の下縁に係止する係止杆の嵌挿孔を横架材に係合溝と交差させて横設した、請求項１記載の木造建物における横架材の接合装置。
【請求項３】
構造材の横架材との接合面に、受支突子の直下にして該受支突子と同様に螺杆先端とナット材で成る第二受支突子を突設し、該第二受支突子に掛止する第二掛止杆と、前記受支突子の下縁に係止する係止杆と前記第二受支突子の下縁に係止する係止杆の一方又は双方のそれぞれの嵌挿孔を前記横架材に係合溝と交差させて横設した、請求項１記載の木造建物における横架材の接合装置。
【請求項４】
ナット材を螺子筒と該螺子筒の一端側に連設した頭部とで成る袋ナット体で構成すると共に、前記螺子筒部側から次第に拡径して掛止杆又は第二掛止杆を掛止するテーパ縁を備えた円錐台形状部を前記頭部に設けた、請求項１乃至３のうちいずれか１項記載の木造建物における横架材の接合装置。
【請求項５】
ナット材の周側に、掛止杆又は第二掛止杆を介して構造材の、横架材との接合面に相対する鍔部片を設けた、請求項４記載の木造建物における横架材の接合装置。
【発明の詳細な説明】
【０００１】
【産業上の利用分野】
本発明は、木造建物の梁や桁などの横架材を柱や胴差などの構造材に接合するために適用する、木造建物における横架材の接合装置に関するものである。
【０００２】
【従来の技術】
柱に貫通させて該柱の一側より突出する先端にナットを螺合したボルトの特殊形状の頭部側を前記柱の他の一側より突出させて受支突子と成し、これに横架材の端部側に横設した掛止杆を掛止するようにした構造のものがある（例えば、特許文献１）。
【０００３】
【特許文献１】
特開２００２−１４６９１８号公報
【０００４】
【発明が解決しようとする課題】
前記従来例は、掛止杆が受支突子より外れないように（横架材が柱から離脱しないように）、該受支突子を構成するボルト杆頭部を特殊形状としているため該ボルト杆を特別に容易しなければならない。
【０００５】
また、該ボルト杆は、ナットを螺合して柱に締め付けるようにしているが、ナットの締め忘れや経時的にナットが緩んで、横架材の柱に対する所期の掛止状態を維持することがむずかしい場合がある。
【０００６】
本発明は斯様な状況を勘案し、横架材の構造材に対する接合状態を確実に維持することのできる装置を提供すべく創案したものである。
【０００７】
【課題を解決するための手段】
柱や胴差などの構造材の、梁や桁などの横架材との接合面に、該構造材を貫通させた螺杆の先端と該先端に螺合締付けたナット材とで構成した受支突子を突設する一方、前記横架材には、該受支突子を下端側から係合する係合溝を端面に縦設すると共に、前記受支突子に掛止する掛止杆を前記係合溝と交差させて横設したことを基本的手段とし、この基本的手段に例えばナット材の周側に掛止杆を介して接合面に相対する鍔部片を設けた構成を付加することにより横架材の構造材に対する安定した接合状態を得られる。
【０００８】
【発明の実施の形態】
図面は本発明に係る木造建物における横架材接合の接合装置の一実施形態を示し、図１は縦断面図、図２は横断面図、図３は図１の一部拡大図である。
【０００９】
図中、３は柱（胴差でも良い）で、柱３には縦方向に並んで設けた挿通孔１８，１８，１８のそれぞれに該柱３の一方の側面からボルト杆１３を貫通させ、横架材（梁や桁）１との接合面３ａである他の一方の側面から突出する該ボルト杆１３の先端１３ａにナット材４Ａを螺合して構成した受支突子４又は第二受支突子４´を設けてある。
【００１０】
ボルト杆先端１３ａとで受支突子４又は第二受支突子４´を構成するナット材４Ａは、螺子筒１４と該螺子筒１４の一端側に連設した頭部とで成る袋ナット体で構成し、頭部は、六角頭状部１５と前記螺子筒１４部に隣接する円錐台形状部１６との間に鍔部片１７を介在させて構成し、鍔部片１７部は柱３の前記接合面３ａに相対するように円錐台形状部１６や螺子筒１４の周側より突出する外径を備え、この鍔部片１７と螺子筒１４との間に配した円錐台形状部１６は螺子筒１４と同軸線上に配して螺子筒１４部から鍔部片１７方向に次第に拡径させて周側をテーパ縁１６ａを備えたものである。
【００１１】
柱３の接合面３ａに縦方向に並べて突設した受支突子４と該受支突子４の直下に存する第二受支突子４´，４´は、横架材１の端面に縦設した係合溝７内に収納され、該係合溝７を横切るようにして各突子４に対応させて横架材１に横設した掛止杆５又は第二掛止杆５´が掛止され、しかも、最下位の受支突子４´の下側には第二掛止杆５´と同様にして横架材１に横設した係止杆６を配して第二掛止杆５´とで該最下位の受支突子４を挟持させるようにして横架材１を柱３に接合してある。
【００１２】
なお、受支突子４又は４´は、掛止杆５又は第二の掛止杆５´を介して横架材１の荷重を受けるため、柱３からの突出量が多いと耐荷重性に問題が生じ、そのため、可及的に少なくすべきであるが、受支突子４，４´の突出量を少なくするということは、横架材１側に横設した掛止杆５と第二掛止杆５´の横設位置が横架材１の端面側に近づくということを意味することになる。そして、掛止杆５，５´は、受支突子４，４´に掛止することにより横架材１の荷重が負荷されることになるから、掛止杆５，５´の横設位置が横架材１端面（柱３との接合面）に近接すればする程、横架材１はその自重の掛止杆５，５´への集中により裂傷し易くなる。
【００１３】
実施形態は、受支突子４の耐荷重性と掛止杆５，５´に負荷する横架材の自重によるこの裂傷防止を図って、横架材１に設けた前記係合溝７内に鋼板（金属板）製の、一対の補強板２，２を装置してある。すなわち、前記係合溝７を方形状の大形部７ａと該大径部７ａの奥壁の両隅部にスリット状にして連通させた小径部７ｂ，７ｂとで構成し、この係合溝７の小径部７ｂに基端側を嵌挿するようにして補強板２を係合溝７（大径部７ａ）の側壁内側に重ね合わせ、補強板２の基端側に縦方向に並べて設けた透孔に、前記横架材１に前記係合溝小径部７ｂを横切るようにして前記透孔と一致するようにして設けた第一嵌挿孔８を通じて固定杆（ドリフトピン）９を打込み、嵌挿して一対の補強板２，２を係合溝７において空隙１０を存して装置するのである。
【００１４】
そして、横架材１に組付けた補強板２は、基（後）端側に縦方向に並べて設けた前記透孔と同様に縦方向に並べて前端側に設けた第二透孔１１，１１´，１１´，１１´を備え、これらを前記係合溝７の大径部７ａ部に位置させて前記横架材１に前記第一嵌挿孔８，８，８と同様に縦方向に並べて設けた第二嵌挿孔１２，１２´，１２´，１２´と一致させたものである。
【００１５】
実施形態の横架材の接合装置は、横架材（梁や桁）１側に補強板２を、柱（胴差でも良い）３側に受支突子４と第二受支突子４´を前記のようにして設け、横架材１側に補強板３を通じて横設した掛止杆５と第二掛止杆５´と係止杆６を前記受支突子４に組付けるようにして前記横架材１を柱３に接合したものである。
【００１６】
横架材１の柱３に対する接合状態を得るには、柱３側に前記の通りにして受支突子４と該受支突子４の直下にして第二受支突子４´を装置する一方、横架材１側には、前記の通り、固定杆９によって組付けた補強板３の最上位の第二透孔１１と該第二透孔１１と一致する、横架材１に設けた最上位の第二嵌挿孔１２に嵌挿するようにして掛止杆５を前記係合溝７と交差させて横設し、そして、掛止杆５を組付けた横架材１端部を受支突子４直上に位置させて降下させると、受支突子４を係合溝７すなわち補強板２，２間の空隙１０内に相対的に係合しつつ該横架材１端部は降下し、この降下に伴って横架材１端部の上部側に横設した掛止杆５も降下し、ついには、柱３側に突設した最上位の受支突子４に受支され、横架材１は掛止杆５の受支突子４に対する掛止関係によって柱３に仮接合される。
【００１７】
なお、この仮接合時（掛止杆５を受支突子４に載置するとき）に、掛止杆５は受支突子４（円錐台形部１６）のテーパ縁１６ａの傾斜によって柱３方向に移動することになり、これに伴って横架材１も柱３側に移動、引き寄せられ、安定した（仮）接合状態を得られる（因みに、各部材の相対的な位置関係は、この引寄せ操作が行われるべく設定してあることは勿論である）。
【００１８】
この仮接合状態（実施形態によってはこの仮接合状態を得た後、柱３と横架材１をかすがい等で固定することも考えられる）にあって、横架材１側である補強板２に設けた第二透孔１１´と横架材１端部の、前記係合溝７に交差させて設けた第二嵌挿孔１２´は互いに一致する位置に配するようにしてあるから、これらに第二掛止杆５´を打込み、嵌挿でき、該第二掛止杆５´の打込み嵌挿と相前後し、最下位の第二嵌挿孔１２´（図で１２´ｂとして示す）と該第二嵌挿孔１２´に一致する最下位の第二透孔１１´（図で１１´ｂとして示す）に係止杆６を、第二掛止杆５´を第二嵌挿孔１２´と第二透孔１１´に嵌挿打込むと同様に嵌挿打込むことにより横架材１は柱３に接合される。
【００１９】
第二掛止杆５´や係止杆６の打込み操作時に、各杆５´，６が受支突子４のテーパ縁１６ａに強制的に接してこれを押圧するため、横架材１の柱３方向への引寄せ操作が行われる。
【００２０】
そして、接合状態にあって、掛止杆５，５´は柱３側の受支突子４，４´に掛止され、受支突子４，４´は掛止杆５，５´を通じて横架材１側の荷重を受けることになるのである。
【００２１】
係止杆６は、最下位の受支突子４´の下縁（テーパー縁１６ａ）に接することにより横架材１の柱３に沿う上昇を防ぐと共に、掛止杆５又は他の第二掛止杆５´とで受支突子４又は４´を挟持することにより（例えば、最上位の受支突子４の場合、その上縁側に掛止杆５が接して位置することになるから、掛止杆５と最下位の受支突子４´の下縁に接する係止杆６とで該最上位の受支突子４を挟持することになる）、横架材１の柱３からの離脱を防止する。
【００２２】
図中、２０は座金で、座金２０はボルト杆頭部やナット材４Ａの柱３に対する滅り込みを防止する。
【００２３】
なお、実施形態は、図面でも示すように構造材（柱３）の一方の片面（接合面３ａ）にのみ横架材１を接合するようにし、そのため、ボルト杆１３を用いて前記片面側にのみ受支突子１４を設けるようにしているが、ボルト杆（頭部付）１３に代えて、両端に螺子部を設けた螺杆を用い、該螺杆を挿通孔１８に貫通させて端部を構造材両面より突出させ、各端部に前記ナット材４Ａを螺合締付けるようにして受支突子１４と成し、構造材両面の、それぞれの受支突子１４に実施形態と同様に横架材を接合するようにしても良いことは勿論で、実施形態のボルト杆１３の頭部が前記螺杆端部とナット材４Ａで成る受支突子１４となるだけで、残余の点は実施形態と同様なので説明は省略する。
【００２４】
【発明の効果】
本発明は、前記の通りの構成であるから、構造材に横架材を確実に接合できる装置を提供でき、また、構造材にボルト杆を貫通させて該ボルト杆先端にナット材を螺合するだけで横架材側の掛止杆を掛止する受支突子を簡単に得られ、工期の短縮を図れる。
【００２５】
また、該受支突子を構成するナット材に掛止杆を掛止して横架材の荷重を負荷させるから、ボルト杆に対するナット材の、経時的な緩みを確実に防ぎ、受支突子に対する掛止杆の当初の掛止状態を確実に維持することのできる装置を提供することができる。
【図面の簡単な説明】
【図１】縦断面図。
【図２】横断面図。
【図３】図１の一部拡大図。
【符号の説明】
１      横架材
３      柱
４      受支突子
４Ａ    ナット材
５      掛止杆
７      係合溝
【図１】
2004293087.tif 000003
【図２】
2004293087.tif 000004
【図３】
2004293087.tif 000005